(57)【要約】【課題】上下の杭の雌雄のネジ継ぎ手をスムーズに螺合させていくことができる、杭のネジ式継ぎ手の構造を提供する。【解決手段】各継ぎ手２，４のネジの螺旋凸条５，６の螺旋方向の先端部５ａ，６ａの断面寸法が、螺旋凸条５，６の螺旋方向の中間部５ｂ，６ｂと同じ断面寸法に形成されている。各継ぎ手２，４のネジ部は旋盤等による機械加工で形成され、各継ぎ手２，４のネジの螺旋凸条５，６の螺旋方向の先端部５ａ，６ａが、切除等の機械加工で螺旋凸条５，６の螺旋方向の中間部５ｂ，６ｂと同じ断面寸法に形成されているとよい。【選択図】      図１
2006283423.tif 000002
【特許請求の範囲】
【請求項１】
地面に打ち込まれた下杭の上端部に設けられる雌雄いずれか一方のネジ継ぎ手と、上杭の下端部に設けられる雌雄もう一方のネジ継ぎ手とが備えられ、両継ぎ手を螺合して上下の杭をジョイントするようになされた杭のネジ式継ぎ手の構造であって、
各継ぎ手のネジの螺旋凸条の螺旋方向の先端部の断面寸法が、螺旋凸条の螺旋方向の中間部と同じ断面寸法に形成されていることを特徴とする杭のネジ式継ぎ手の構造。
【請求項２】
前記各継ぎ手のネジ部が旋盤等による機械加工で形成され、各継ぎ手のネジの螺旋凸条の螺旋方向の先端部が、切除等の機械加工で螺旋凸条の螺旋方向の中間部と同じ断面寸法に形成されている請求項１に記載の杭のネジ式継ぎ手の構造。
【発明の詳細な説明】
【技術分野】
【０００１】
本発明は、杭のネジ式継ぎ手の構造に関する。
【背景技術】
【０００２】
地面に回転圧入などによって打ち込まれた下杭の上端部に設けられている雌ネジ継ぎ手と、上杭の下端部に設けられている雄ネジ継ぎ手とを螺合することによって、上下の杭をジョイントし、杭を地中深くに打ち込んでいくことは、従来より行われている。
【発明の開示】
【発明が解決しようとする課題】
【０００３】
しかしながら、下杭の打込み後に、該下杭に上杭をジョイントするため、上杭を吊り、その下端部を上杭の上端部に載せ、雌雄の継ぎ手を螺合させるため上杭を回転させると、大きな抵抗を受け、スムーズに螺合させていくことができないことがあった。
【０００４】
そこで、その原因究明に向けて調査を行ったところ、原因が、雌雄の継ぎ手のネジの螺旋凸条の先端側の形態にあることを突き止めた。
【０００５】
即ち、各継ぎ手のネジ部が旋盤等による機械加工で形成されたものである場合は特に、図３（イ）に示すように、雄ネジ継ぎ手５１のネジの螺旋凸条５２の先端側は、螺旋方向の先端に向かうにしたがって、その肉厚寸法を次第に小さくしていき、螺旋凸条５２の先端部５２ａはその肉厚寸法が非常に薄いものになってしまい、また、雌ネジ継ぎ手５３のネジの螺旋凸条５４の先端側も、螺旋方向の先端に向かうにしたがって、その肉厚寸法を次第に小さくしていき、螺旋凸条５４の先端部５４ａはその肉厚寸法が非常に薄いものになってしまう。
【０００６】
そのため、下杭の打込み後、上杭を吊り、その下端部を上杭の上端部に載せると、上杭の重量、及び、杭打ち機の回転モーターの重量によって、各継ぎ手５１，５３の螺旋凸条５２，５４の先端部５２ａ，５４ａが変形、破損してしまい、それが原因で、上杭を回転させると、大きな抵抗を受け、雌雄の継ぎ手５１，５３をスムーズに螺合させていくことができないのであった。
【０００７】
そこで、本発明者らは、この問題を解決するため、図３（ロ）に示すように、雌雄のネジ継ぎ手５１，５３のネジの螺旋凸条５２，５４の先端側の肉厚寸法を次第に小さくしていく部分５２ａ，５４ａに対して機械加工を施し、その部分の高さ寸法を先端に向けて次第に小さくしていくように機械加工してみた。
【０００８】
ところが、それでも満足いく結果を得ることはできず、各継ぎ手５１，５３の螺旋凸条５２，５４の先端部５２ａ，５４ａが変形、破損してしまい、上杭を回転させると大きな抵抗を受け、スムーズに螺合させていくことができなかった。特に、上杭が傾いた状態で下杭に載った場合はそうであった。
【０００９】
本発明は、上記のような調査と研究に基づいてなされたものであって、上下の杭の雌雄のネジ継ぎ手をスムーズに螺合させていくことができる、杭のネジ式継ぎ手の構造を提供することを課題とする。
【課題を解決するための手段】
【００１０】
上記の課題は、地面に打ち込まれた下杭の上端部に設けられる雌雄いずれか一方のネジ継ぎ手と、上杭の下端部に設けられる雌雄もう一方のネジ継ぎ手とが備えられ、両継ぎ手を螺合して上下の杭をジョイントするようになされた杭のネジ式継ぎ手の構造であって、
各継ぎ手のネジの螺旋凸条の螺旋方向の先端部の断面寸法が、螺旋凸条の螺旋方向の中間部と同じ断面寸法に形成されていることを特徴とする杭のネジ式継ぎ手の構造によって解決される。
【００１１】
この構造では、各継ぎ手のネジの螺旋凸条の螺旋方向の先端部の断面寸法が、螺旋凸条の螺旋方向の中間部と同じ断面寸法に形成されているので、螺旋凸条の螺旋方向の先端部が、螺旋方向の中間部と変わらない高い強度をもっており、そのため、下杭の打込み後、該下杭に上杭をジョイントするため、上杭を吊り、その下端部を上杭の上端部に載せても、雌雄の継ぎ手の螺旋凸条の先端部が変形したり破損したりせず、上杭を回転させて、両ネジ継ぎ手をスムーズに螺合させていくことができる。
【００１２】
上記の構造において、各継ぎ手のネジ部が旋盤等による機械加工で形成され、各継ぎ手のネジの螺旋凸条の螺旋方向の先端部が、切除等の機械加工で螺旋凸条の螺旋方向の中間部と同じ断面寸法に形成されている場合は、各継ぎ手のネジ部を旋盤等による機械加工で容易に製作することができ、その利点を生かしつつ、両ネジ継ぎ手をスムーズに螺合させていくことができる。
【発明の効果】
【００１３】
本発明は、以上のとおりのものであるから、上下の杭の雌雄のネジ継ぎ手をスムーズに螺合させていくことができる。
【発明を実施するための最良の形態】
【００１４】
次に、本発明の実施最良形態を図面に基づいて説明する。
【００１５】
図１及び図２に示す実施形態の杭のネジ式継ぎ手の構造では、鋼管からなる下杭１の上端部に雌ネジ継ぎ手２が溶接Ｗなどで取り付けられると共に、同じく鋼管からなる上杭３の下端部に雄ネジ継ぎ手４が溶接Ｗなどで取り付けられており、両継ぎ手２，４は鋳鋼品からなり、各継ぎ手のネジ部は旋盤等による機械加工によって形成されている。
【００１６】
そして、図１（ロ−１）〜（ロ−３）に示すように、雄ネジ継ぎ手４のネジの螺旋凸条５の螺旋方向の先端部５ａの断面寸法は、切除等の機械加工により、螺旋凸条５の螺旋方向の中間部５ｂと同じ断面寸法に形成され、また、螺旋凸条５の先端面部５ｃは、雌ネジ継ぎ手２との螺合開始時のかみ合いをスムーズなものにするために斜部に形成されている。
【００１７】
また、雌ネジ継ぎ手２についても同様に、図１（ハ−１）〜（ハ−３）に示すように、ネジの螺旋凸条６の螺旋方向の先端部６ａの断面寸法は、同じく切除等の機械加工により、螺旋凸条６の螺旋方向の中間部６ｂと同じ断面寸法に形成され、また、螺旋凸条６の先端面部６ｃは、雄ネジ継ぎ手４との螺合開始時のかみ合いをスムーズなものにするために斜部に形成されている。
【００１８】
上記の構造では、雌雄各継ぎ手２，４において、ネジの螺旋凸条５，６の螺旋方向の先端部５ａ，６ａの断面寸法が、螺旋凸条５，６の螺旋方向の中間部５ｂ，６ｂと同じ断面寸法に形成されているので、螺旋凸条５，６の螺旋方向の先端部が、螺旋方向の中間部５ｂ，６ｂと変わらない高い強度をもっており、そのため、図２（イ）（ロ）に示すように、下杭１の打込み後、該下杭１に上杭３をジョイントするため、上杭３を吊り、その下端部を上杭３の上端部に載せても、雌雄の継ぎ手２，４の螺旋凸条５，６の先端部が変形したり破損したりせず、上杭３を回転させて、両ネジ継ぎ手２，４をスムーズに螺合させて、図２（ハ）に示すようにジョイントすることができる。
【００１９】
しかも、上記の構造によれば、各継ぎ手２，４のネジ部が旋盤等による機械加工で形成され、各継ぎ手２，４のネジの螺旋凸条５，６の螺旋方向の先端部５ａ，６ａが、切除等の機械加工で螺旋凸条の螺旋方向の中間部と同じ断面寸法に形成されているので、各継ぎ手２，４のネジ部を旋盤等による機械加工で容易に製作することができ、その利点を生かしつつ、両ネジ継ぎ手２，４をスムーズに螺合させていくことができる。
【００２０】
以上に、本発明の実施形態を示したが、本発明はこれに限られるものではなく、発明思想を逸脱しない範囲で各種の変更が可能である。例えば、本発明では、上下の杭は鋼管に限らないし、下杭の上端部に雄ネジ継ぎ手が設けられ、上杭の下端部に雌ネジ継ぎ手が設けられたものであってもよい。
【００２１】
また、上記の実施形態では、各継ぎ手２，４のネジ部が旋盤等による機械加工で形成され、各継ぎ手２，４のネジの螺旋凸条５，６の螺旋方向の先端部５ａ，６ａが、切除等の機械加工で螺旋凸条の螺旋方向の中間部と同じ断面寸法に形成されている場合を示したが、ネジ部を鋳造などで成形し、各継ぎ手のネジの螺旋凸条の螺旋方向の先端部も鋳造などで螺旋凸条の螺旋方向の中間部と同じ断面寸法に形成されているものであってもよい。
【図面の簡単な説明】
【００２２】
【図１】図（イ）は実施形態のネジ式継ぎ手構造を分離状態にして示す斜視図、図（ロ−１）は雄ネジ継ぎ手の底面図、図（ロ−２）は同側面図、図（ロ−３）は図（ロ−２）のＩ−Ｉ線要部拡大断面図、図（ハ−１）は雌ネジ継ぎ手の平面図、図（ハ−２）は同断面側面図、図（ハ−３）は図（ハ−２）のＩＩ−ＩＩ線要部拡大断面図である。
【図２】図（イ）〜図（ハ）は、杭のジョイント方法を順次に示す部分断面側面図である。
【図３】図（イ）は従来のネジ式継ぎ手の構造を分離状態にして示す斜視図、図（ロ）は開発過程で考えられたネジ式継ぎ手の構造を分離状態にして示す斜視図である。
【符号の説明】
【００２３】
１…下杭
２…雌ネジ継ぎ手
３…上杭
４…雄ネジ継ぎ手
５…螺旋凸条
５ａ…先端部
５ｂ…中間部
６…螺旋凸条
６ａ…先端部
６ｂ…中間部
【図１】
2006283423.tif 000003
【図２】
2006283423.tif 000004
【図３】
2006283423.tif 000005